(57)【特許請求の範囲】
【請求項１】
正面側にパネルを固定可能なパネル取付構造であって、
パネルを裏面側から支持する縁枠材と、
前記縁枠材に回動可能に取り付けられる回動部材と、
前記回動部材に取り付けられて前記回動部材と一体的に回動する取付部材と、
前記取付部材を貫通して取り付けられるネジ部材と、
を備え、
前記回動部材は、前記縁枠材の正面に臨む押さえ部を備え、
前記取付部材は、前記ネジ部材に係合するめねじ部を備え、
前記ネジ部材を締め込んだときに、ネジ作用により前記取付部材及び前記回動部材が一体的に回動し、前記押さえ部と前記縁枠材とでパネルを挟み込んで固定可能としたことを特徴とする、パネル取付構造。
【請求項２】
前記取付部材は、前記回動部材にスライド可能に取り付けられることを特徴とする、請求項１記載のパネル取付構造。
【請求項３】
前記縁枠材は、前記ネジ部材の先端を受けるネジ受部を備え、
前記ネジ受部の表面は凹曲面で形成されていることを特徴とする、請求項１又は２記載のパネル取付構造。
【請求項４】
前記押さえ部の内側面を円弧状としたことを特徴とする、請求項１〜３のいずれかに記載のパネル取付構造。
【発明の詳細な説明】
【技術分野】
【０００１】
この発明は、例えば工事用の立て看板などに使用可能なパネル取付構造に関する。
【背景技術】
【０００２】
従来、工事現場などにおいて脚立状の簡便な構造の立て看板が使用されている。
【０００３】
この種の立て看板に使用される構造として、例えば特許文献１には、縁枠の正面にパネルを押さえこんで取り付けた構造が開示されている。この特許文献１記載の構造においては、方形に組み合わせた縁枠の正面にパネルを重ね、このパネルを、断面がほぼアングル状の押さえプレートにより縁枠に押し付けて固定している。前記押さえプレートは、縁枠の周面であるそれぞれの框材の外側面へ被さる主部と、框材の正面へ被さる状態で前記パネルを押し付けるパネル押さえ部と、框材の背面側の外角部へ引っ掛けられる断面鉤状の引掛部とから構成され、前記主部を複数のねじによりそれぞれの框材へ固定するようにしている。
【０００４】
このような構成によれば、パネルの縁枠への取り付け及び取り替えが容易となり、また、パネルの所定範囲内での厚みの変更に対応することができるとされている。
【先行技術文献】
【特許文献】
【０００５】
【特許文献１】特開２００２−１８０４２６号公報
【発明の概要】
【発明が解決しようとする課題】
【０００６】
しかし、上記した特許文献１記載の構造は、アングル状の押さえプレートを使用したものであり、押さえプレートのアングル部と縁枠の角とを重なり合わせて固定する構造であった。すなわち、パネルを挟み込んだときに縁枠に対する押さえプレートの角度が決まっているため、パネルの厚みに応じて押さえプレートの角度を変えることができなかった。よって、特許文献１記載の構造では、対応可能なパネルの厚みの範囲が限定的とならざるを得なかった。
【０００７】
そこで、本発明は、パネルの厚みが大きく異なる場合でも同じ構造で対応することができるパネル取付構造を提供することを課題とする。
【課題を解決するための手段】
【０００８】
本発明は、上記した課題を解決するためになされたものであり、以下を特徴とする。
【０００９】
請求項１記載の発明は、正面側にパネルを固定可能なパネル取付構造であって、パネルを裏面側から支持する縁枠材と、前記縁枠材に回動可能に取り付けられる回動部材と、前記回動部材に取り付けられて前記回動部材と一体的に回動する取付部材と、前記取付部材を貫通して取り付けられるネジ部材と、を備え、前記回動部材は、前記縁枠材の正面に臨む押さえ部を備え、前記取付部材は、前記ネジ部材に係合するめねじ部を備え、前記ネジ部材を締め込んだときに、ネジ作用により前記取付部材及び前記回動部材が一体的に回動し、前記押さえ部と前記縁枠材とでパネルを挟み込んで固定可能としたことを特徴とする。
【００１０】
請求項２に記載の発明は、上記した請求項１に記載の発明の特徴点に加え、前記取付部材は、前記回動部材にスライド可能に取り付けられることを特徴とする。
【００１１】
請求項３に記載の発明は、上記した請求項１または２に記載の発明の特徴点に加え、前記縁枠材は、前記ネジ部材の先端を受けるネジ受部を備え、前記ネジ受部の表面は曲面で形成されていることを特徴とする。
【００１２】
請求項４に記載の発明は、上記した請求項１〜３のいずれかに記載の発明の特徴点に加え、前記押さえ部の内側面を円弧状としたことを特徴とする。
【発明の効果】
【００１３】
請求項１に記載の発明は上記の通りであり、縁枠材に回動可能に取り付けられる回動部材と、前記回動部材に取り付けられて前記回動部材と一体的に回動する取付部材と、前記取付部材を貫通して取り付けられるネジ部材と、を備え、前記ネジ部材を締め込んだときに、ネジ作用により前記取付部材及び前記回動部材が一体的に回動し、前記回動部材の押さえ部と前記縁枠材とでパネルを挟み込んで固定可能とした。このような構造によれば、ネジ部材の締め込みを調整することでパネルを挟み込む角度を調整することができる。すなわち、ネジ部材の締め込みを調整するだけで様々なパネルの厚みに対応することができる。
【００１４】
また、請求項２に記載の発明は上記の通りであり、前記取付部材は、前記回動部材にスライド可能に取り付けられる。このような構成によれば、取付部材の取り付け位置を自由に設定できるので、パネルの固定場所をユーザが好きに設定することができ、また、固定場所の変更も容易である。
【００１５】
また、請求項３に記載の発明は上記の通りであり、前記縁枠材は、前記ネジ部材の先端を受けるネジ受部を備え、前記ネジ受部の表面は曲面で形成されている。このような構造によれば、回動部材をどのような角度で固定した場合でも、ネジ部材の先端とネジ受部との接触面積を大きくすることができるので、異なる厚みのパネルを安定して固定することができる。
【００１６】
また、請求項４に記載の発明は上記の通りであり、前記押さえ部の内側面を円弧状としたので、回動部材を回動させたときでも、押さえ部の内側面がパネルに干渉しにくい構造とすることができる。
【図面の簡単な説明】
【００１７】
【図１】立て看板の（ａ）側面図、（ｂ）正面図である。
【図２】立て看板の（ａ）Ｘ−Ｘ線断面図、（ｂ）Ｘ−Ｘ線断面の一部拡大図である。
【図３】パネル取付構造の構成部品を説明する図である。
【発明を実施するための形態】
【００１８】
本発明の実施形態について、図を参照しながら説明する。
【００１９】
本実施形態に係るパネル取付構造は、例えば図１に示すような立て看板１０に使用されるものであり、正面に方形のパネル４０を固定可能となっている。このパネル取付構造は、パネル４０を裏面から支持するために四方に枠組みされる４本の縁枠材１１と、縁枠材１１に回動可能に取り付けられる回動部材２０と、回動部材２０に取り付けられて回動部材２０と一体的に回動する取付部材３５と、取付部材３５を貫通して取り付けられるネジ部材３０と、を備える。
【００２０】
四方に枠組みされた４本の縁枠材１１は、図１に示すように、それぞれパネル４０の上端部４０ａ、下端部４０ｂ、左端部４０ｃ、右端部４０ｄの裏面に当接しており、パネル４０を裏面から支持している。
【００２１】
本実施形態に係る縁枠材１１は、アルミニウム等の押出形材からなる。この縁枠材１１は、図２及び図３に示すように、断面略四角形で中空の柱部１２と、この柱部１２から突出した突出脚部１３と、突出脚部１３の先端に設けられた筒状の回動軸部１４と、を備える。
【００２２】
柱部１２は、４つの面を備えた柱状部材であり、パネル４０の裏面に当接する正面１２ａと、正面１２ａの反対側に設けられた背面１２ｂと、四方枠組みの内側に向いた内側面１２ｃと、四方枠組みの外側に向いた外側面１２ｄと、を備える。このうち、外側面１２ｄの表面は凹状の曲面を有しており、この凹状の曲面によってネジ受部１２ｅが形成されている。ネジ受部１２ｅは、後述するネジ部材３０の先端３３を受けるための部位である。
【００２３】
突出脚部１３は、正面１２ａと外側面１２ｄとの間の角部から斜め方向に突出している。この突出脚部１３は、後述する回動軸部１４を柱部１２から離れた位置で支持するためのものである。
【００２４】
回動軸部１４は、回動部材２０の回動軸となるパイプ状の部位であり、周面の一部に前述した突出脚部１３が接続されている。
【００２５】
回動部材２０は、アルミニウム等の押出形材からなる。この回動部材２０は、四方に枠組みされた４本の縁枠材１１のそれぞれに対応して４本使用される。それぞれの回動部材２０は、対応する縁枠材１１と略同じ長さで形成されている。この回動部材２０は、図２及び図３に示すように、縁枠材１１に回動可能に係合する回動部２１と、回動部２１から突出した押さえ部２２と、を備える。この回動部材２０が縁枠材１１に取り付けられると、押さえ部２２が柱部１２の正面１２ａに臨むようになっている。
【００２６】
回動部２１は、縁枠材１１の回動軸部１４に係合する略Ｃ字形の内周面を有している。この回動部２１が縁枠材１１の回動軸部１４に係合することで、回動部材２０と縁枠材１１とが所定の範囲で互いに回動自在となっている。この回動部２１を回動軸部１４に係合させるときには、回動部２１の端部から回動軸部１４の端部を挿入し、スライドさせて係合させる。なお、回動部２１が回動軸部１４から外れないようにするために、回動部２１の略Ｃ字形の内周面は１８０度以上になっている。ただし、回動部２１の略Ｃ字形の内周面が大きすぎると、縁枠材１１に対する回動部材２０の回動可能範囲が小さくなってしまう。本実施形態においては、回動部２１の略Ｃ字形の内周面を１９０〜２１０度とすることで、回動部２１が回動軸部１４から外れず、かつ、回動部材２０の回動可能範囲を大きく確保できるようにしている。
【００２７】
押さえ部２２は、縁枠材１１の柱部１２の正面１２ａに臨むように、回動部２１から突出した鉤状の部位である。この押さえ部２２は、後述するネジ部材３０を締め込んだときに、縁枠材１１の正面１２ａに押し付けられ、これにより縁枠材１１と協働してパネル４０を挟み込んで固定する。この押さえ部２２の先端には、パネル４０に当接してパネル４０を押さえつけるための当接部２４が設けられている。この当接部２４は、回動部材２０が回動部２１を中心に回動したときに、縁枠材１１の正面１２ａに対して接近または離反するようになっている。このため、回動部材２０を回動させることで、当接部２４と縁枠材１１の正面１２ａとの間の距離をパネル４０の厚みに合わせて変更できるようになっている。なお、この当接部２４の先端面は曲面で形成されている。当接部２４の先端面を曲面で形成することで、縁枠材１１と回動部材２０とがどのような角度で固定されたときでも、確実に当接部２４でパネル４０を保持できるようになっている。
【００２８】
また、押さえ部２２の内側面２３は、図２に示すように円弧状となっており、回動部材２０を回動させたときに押さえ部２２の内側面２３がパネル４０に干渉しないようになっている。すなわち、押さえ部２２の内側面２３を円弧状とすることで、内側面２３とパネル４０との間にスペースＳが設けられており、当接部２４以外の部分がパネル４０に接触しないようになっている。
【００２９】
また、回動部材２０の表面には、後述する取付部材３５をスライド可能にガイドするためのガイド部２５が設けられている。本実施形態に係るガイド部２５は、図２等に示すような溝形状であり、長手方向の全長に渡って設けられている。
【００３０】
取付部材３５は、アルミニウム等の押出形材からなる。この取付部材３５は、回動部材２０よりも短尺に形成されており、回動部材２０にスライド可能に取り付けられる。この取付部材３５は、回動部材２０を固定したい箇所の数だけ使用される。例えば図１に示すように、パネル４０の左端部４０ｃの４箇所において回動部材２０を固定したい場合には、４つの取付部材３５が使用される。本実施形態に係る取付部材３５は、取付部材本体３６と、係合板３９と、の２つの部材で構成されている。
【００３１】
取付部材本体３６は、回動部材２０にスライド可能に取り付けるためのスライド部３７と、係合板３９を保持するための係合溝３８と、を備える。
【００３２】
スライド部３７は、回動部材２０の表面に沿うように形成された断面略Ｃ字形の部位であり、両端部に爪部３７ａ，３７ｂを備える。一方の爪部３７ａは回動部材２０のガイド部２５に係合し、他方の爪部３７ｂは回動部材２０の回動部２１の端縁に係合する。このスライド部３７が回動部材２０に係合することで、スライド部３７は回動部材２０の長手方向にスライド自在となっている。
【００３３】
係合溝３８は、係合板３９をスライド可能に保持するためにアリ溝形状で形成された部分である。この係合溝３８の底部にはネジ部材３０を貫通させるための貫通孔３８ａが形成されている。
【００３４】
係合板３９は、平板状の金属部材であり、取付部材本体３６の係合溝３８に挿入される部材である。この係合板３９には、ネジ部材３０に係合するめねじ部３９ａが貫通形成されている。
【００３５】
なお、本実施形態においては、めねじ部３９ａを形成するための加工上の理由から、取付部材本体３６と係合板３９とを別部材としている。しかしながら、本発明の実施形態としてはこれに限らず、取付部材本体３６と係合板３９とを一部材で形成してもよい。
【００３６】
ネジ部材３０は、回動部材２０を縁枠材１１に固定するために使用される。このネジ部材３０は、取付部材３５を貫通して取り付けられる。具体的には、まず、取付部材本体３６の貫通孔３８ａと係合板３９のめねじ部３９ａとが重なり合うように、取付部材本体３６の係合溝３８に係合板３９を取り付ける。そして、貫通孔３８ａとめねじ部３９ａとを貫通するようにネジ部材３０の軸部３２を挿入し、螺合させる。
【００３７】
ネジ部材３０を取り付けた取付部材３５は、回動部材２０にスライド可能に取り付けられる。固定したい箇所に取付部材３５をスライドさせてネジ部材３０を締め込んでいくと、ネジ作用によりネジ部材３０の先端３３が前進しようとする。このとき、図２に示すように、ネジ部材３０の先端３３が縁枠材１１のネジ受部１２ｅに押し付けられることで、取付部材３５及び回動部材２０が一体的に回動し、回動部材２０の押さえ部２２によってパネル４０が挟み込まれていく。そして、更にネジ部材３０を強く締め込むと、押さえ部２２とネジ部材３０の先端３３とが突っ張った状態になり、それ以上は回動部材２０が回動できなくなる。このように回動部材２０が回動できなくなるまでネジ部材３０を締め込むことで、回動部材２０が縁枠材１１に固定されるとともに、回動部材２０と縁枠材１１とでパネル４０を挟み込んで固定できるようになっている。
【００３８】
上記したパネル取付構造でパネル４０を固定するときには、まずネジ部材３０を緩めて後退させ、回動部材２０が自由に回動できるようにする。そして、押さえ部２２と柱部１２の正面１２ａとの間にパネル４０を差し込み、ネジ部材３０を締め付ける。ネジ部材３０を締め付けると、ネジ部材３０の先端３３がネジ受部１２ｅに当たる。更にネジ部材３０を締め付けると、ネジ部材３０はネジ受部１２ｅに当たって前進できないので、取付部材３５及び回動部材２０が一体的に回動する。この回動により、押さえ部２２が縁枠材１１の正面１２ａに押し付けられ、パネル４０が挟み込まれる。ネジ部材３０を目一杯まで締め付ければ、押さえ部２２と縁枠材１１とで強固にパネル４０を挟み込んで固定することができる。
【００３９】
このように固定したパネル４０を取り外す際には、ネジ部材３０を緩めればよい。ネジ部材３０を緩めることで、押さえ部２２を縁枠材１１の正面１２ａに押し付けていた力が解除されるので、パネル４０を容易に取り外すことができる。
【００４０】
以上説明したように、本実施形態によれば、縁枠材１１に回動可能に取り付けられる回動部材２０と、前記回動部材２０に取り付けられて前記回動部材２０と一体的に回動する取付部材３５と、前記取付部材３５を貫通して取り付けられるネジ部材３０と、を備え、前記ネジ部材３０を締め込んだときに、ネジ作用により前記取付部材３５及び前記回動部材２０が一体的に回動し、前記回動部材２０の押さえ部２２と前記縁枠材１１とでパネル４０を挟み込んで固定可能とした。このような構造によれば、ネジ部材３０の締め込みを調整することでパネル４０を挟み込む角度を調整することができる。すなわち、ネジ部材３０の締め込みを調整するだけで様々なパネル４０の厚みに対応することができる。
【００４１】
また、前記取付部材３５は、前記回動部材２０にスライド可能に取り付けられる。このような構成によれば、取付部材３５の取り付け位置を自由に設定できるので、パネル４０の固定場所をユーザが好きに設定することができ、また、固定場所の変更も容易である。
【００４２】
また、前記縁枠材１１は、前記ネジ部材３０の先端３３を受けるネジ受部１２ｅを備え、前記ネジ受部１２ｅの表面は曲面で形成されている。このような構造によれば、回動部材２０をどのような角度で固定した場合でも、ネジ部材３０の先端３３とネジ受部１２ｅとの接触面積を大きくすることができるので、異なる厚みのパネル４０を安定して固定することができる。
【００４３】
また、前記押さえ部２２の内側面２３を円弧状としたので、回動部材２０を回動させたときでも、押さえ部２２の内側面２３がパネル４０に干渉しにくい構造とすることができる。
【００４４】
なお、上記した実施形態においては特に説明していないが、ネジ部材３０の長さをパネル４０の厚みに合わせて変更可能としてもよい。例えば、長短２種類のネジ部材３０を用意し、パネル４０の厚みが薄い場合にはネジ部材３０の締め込み量が大きくなるので長いネジ部材３０を使用し、パネル４０の厚みが厚い場合にはネジ部材３０の締め込み量が小さくなるので短いネジ部材３０を使用するようにしてもよい。
【符号の説明】
【００４５】
１０  立て看板
１１  縁枠材
１２  柱部
１２ａ  正面
１２ｂ  背面
１２ｃ  内側面
１２ｄ  外側面
１２ｅ  ネジ受部
１３  突出脚部
１４  回動軸部
２０  回動部材
２１  回動部
２２  押さえ部
２３  内側面
２４  当接部
２５  ガイド部
３０  ネジ部材
３１  頭部
３２  軸部
３３  先端
３５  取付部材
３６  取付部材本体
３７  スライド部
３７ａ，３７ｂ  爪部
３８  係合溝
３８ａ  貫通孔
３９  係合板
３９ａ  めねじ部
４０  パネル
４０ａ  上端部
４０ｂ  下端部
４０ｃ  左端部
４０ｄ  右端部
Ｓ  スペース
【図１】
0006537138.tif 000002
【図２】
0006537138.tif 000003
【図３】
0006537138.tif 000004